(57)【特許請求の範囲】
【請求項１】
撮像光学レンズであって、
物体側から像側へ順に、負の屈折力を有する第１レンズと、正の屈折力を有する第２レンズと、負の屈折力を有する第３レンズと、正の屈折力を有する第４レンズと、負の屈折力を有する第５レンズとによって構成され、
前記撮像光学レンズの焦点距離をｆ、前記第１レンズの焦点距離をｆ１、前記第３レンズの焦点距離をｆ３、前記第４レンズの焦点距離をｆ４、前記第５レンズの焦点距離をｆ５、前記第３レンズの物体側面の曲率半径をＲ５、前記第４レンズの物体側面の曲率半径をＲ７、前記第４レンズの像側面の曲率半径をＲ８、前記第３レンズの軸上厚みをｄ５、前記第４レンズの軸上厚みをｄ７、前記第４レンズの像側面から前記第５レンズの物体側面までの軸上距離をｄ８としたときに、以下の条件式（１）〜（５）を満たすことを特徴とする撮像光学レンズ。
−８．００≦（ｆ１＋ｆ３＋ｆ５）／ｆ≦−６．００  （１）
１．００≦（Ｒ７＋Ｒ８）／（Ｒ７−Ｒ８）≦３．００  （２）
Ｒ５／ｄ５≦−１５．００  （３）
１０．００≦ｄ７／ｄ８≦１３．０２  （４）
０．８０≦ｆ４／ｆ≦１．５０  （５）
【請求項２】
前記第２レンズの物体側面の曲率半径をＲ３、前記第２レンズの像側面の曲率半径をＲ４としたときに、以下の条件式（６）を満たすことを特徴とする請求項１に記載の撮像光学レンズ。
０．３０≦（Ｒ３＋Ｒ４）／（Ｒ３−Ｒ４）≦０．７０  （６）
【請求項３】
前記第１レンズの物体側面の曲率半径をＲ１、前記第１レンズの像側面の曲率半径をＲ２、前記第１レンズの軸上厚みをｄ１、前記撮像光学レンズの光学長をＴＴＬとしたときに、以下の条件式（７）〜（９）を満たすことを特徴とする請求項１に記載の撮像光学レンズ。
−５．１１≦ｆ１／ｆ≦−１．５５  （７）
−１．２３≦（Ｒ１＋Ｒ２）／（Ｒ１−Ｒ２）≦１．０９  （８）
０．０３≦ｄ１／ＴＴＬ≦０．１７  （９）
【請求項４】
前記第２レンズの焦点距離をｆ２、前記第２レンズの軸上厚みをｄ３、前記撮像光学レンズの光学長をＴＴＬとしたときに、以下の条件式（１０）〜（１１）を満たすことを特徴とする請求項１に記載の撮像光学レンズ。
０．４２≦ｆ２／ｆ≦１．７２  （１０）
０．０６≦ｄ３／ＴＴＬ≦０．２７  （１１）
【請求項５】
前記第３レンズの像側面の曲率半径をＲ６、前記撮像光学レンズの光学長をＴＴＬとしたときに、以下の条件式（１２）〜（１４）を満たすことを特徴とする請求項１に記載の撮像光学レンズ。
−７．１５≦ｆ３／ｆ≦−１．４８  （１２）
−０．６０≦（Ｒ５＋Ｒ６）／（Ｒ５−Ｒ６）≦１．２４  （１３）
０．０２≦ｄ５／ＴＴＬ≦０．０８  （１４）
【請求項６】
前記撮像光学レンズの光学長をＴＴＬとしたときに、以下の条件式（１５）を満たすことを特徴とする請求項１に記載の撮像光学レンズ。
０．０８≦ｄ７／ＴＴＬ≦０．３５  （１５）
【請求項７】
前記第５レンズの物体側面の曲率半径をＲ９、前記第５レンズの像側面の曲率半径をＲ１０、前記第５レンズの軸上厚みをｄ９、前記撮像光学レンズの光学長をＴＴＬとしたときに、以下の条件式（１６）〜（１８）を満たすことを特徴とする請求項１に記載の撮像光学レンズ。
−４．１４≦ｆ５／ｆ≦−０．８３  （１６）
１．７７≦（Ｒ９＋Ｒ１０）／（Ｒ９−Ｒ１０）≦５．４４  （１７）
０．０４≦ｄ９／ＴＴＬ≦０．１４  （１８）
【請求項８】
前記撮像光学レンズの光学長をＴＴＬ、前記撮像光学レンズの像高をＩＨとしたときに、以下の条件式（１９）を満たすことを特徴とする請求項１に記載の撮像光学レンズ。
ＴＴＬ／ＩＨ≦２．００  （１９）
【請求項９】
前記撮像光学レンズの絞り値Ｆｎｏは、以下の条件式（２０）を満たすことを特徴とする請求項１に記載の撮像光学レンズ。
Ｆｎｏ≦２．２５  （２０）
【請求項１０】
前記第１レンズと前記第２レンズとの合成焦点距離をｆ１２としたときに、以下の条件式（２１）を満たすことを特徴とする請求項１に記載の撮像光学レンズ。
０．４９≦ｆ１２／ｆ≦２．２５  （２１）
【発明の詳細な説明】
【技術分野】
【０００１】
本発明は、光学レンズ分野に関し、特にスマートフォン、デジタルカメラなどの携帯端末装置と、モニタ、ＰＣレンズなどの撮像装置とに適用される撮像光学レンズに関する。
【背景技術】
【０００２】
近年、スマートフォンの登場に伴い、小型化の撮像レンズに対する需要がますます高まっているが、撮像レンズの感光素子は、一般的に、感光結合素子（Ｃｈａｒｇｅ  Ｃｏｕｐｌｅｄ  Ｄｅｖｉｃｅ、ＣＣＤ）又は相補型金属酸化物半導体素子（Ｃｏｍｐｌｅｍｅｎｔａｒｙ  Ｍｅｔａｌ−Ｏｘｉｄｅ  Ｓｅｍｉｃｏｎｄｕｃｔｏｒ  Ｓｅｎｓｏｒ、ＣＭＯＳ  Ｓｅｎｓｏｒ）の２種類のみに大別される。また、半導体製造プロセスの技術の進歩により、感光素子の画素サイズが縮小可能であるとともに、現在の電子製品は、優れた機能および軽量化・薄型化・小型化の外観を発展の傾向とする。そのため、良好な結像品質を有する小型化の撮像レンズは、現在の市場において既に主流となっている。
【０００３】
優れた結像品質を得るために、携帯電話のカメラに搭載された従来のレンズは、３枚式、４枚式のレンズ構造を用いることが多い。しかしながら、技術の発展及びユーザの多様化のニーズの増加に伴い、感光素子の画素面積が縮小しつつあり且つ結像品質に対するシステムからの要求が高くなってきている場合には、５枚式のレンズ構造が徐々にレンズの設計に現れている。よく見られる５枚式のレンズは、良好な光学性能を有しているが、その屈折力、レンズ間隔、およびレンズ形状の設定には依然としてある程度の非合理性があるので、レンズ構造では、良好な光学性能を有すると共に、大口径、極薄化及び広角化の設計要求を満たすことができない。
【発明の概要】
【発明が解決しようとする課題】
【０００４】
本発明は、上記問題に鑑みてなされたものであり、良好な光学性能を有するとともに、大口径、極薄化及び広角化の設計要求を満たす撮像光学レンズを提供することを目的とする。
【課題を解決するための手段】
【０００５】
上記問題を解決するために、本発明の実施形態は、撮像光学レンズを提供する。前記撮像光学レンズは、物体側から像側へ順に、負の屈折力を有する第１レンズと、正の屈折力を有する第２レンズと、負の屈折力を有する第３レンズと、正の屈折力を有する第４レンズと、負の屈折力を有する第５レンズとによって構成され、
前記撮像光学レンズの焦点距離をｆ、前記第１レンズの焦点距離をｆ１、前記第３レンズの焦点距離をｆ３、前記第４レンズの焦点距離をｆ４、前記第５レンズの焦点距離をｆ５、前記第３レンズの物体側面の曲率半径をＲ５、前記第４レンズの物体側面の曲率半径をＲ７、前記第４レンズの像側面の曲率半径をＲ８、前記第３レンズの軸上厚みをｄ５、前記第４レンズの軸上厚みをｄ７、前記第４レンズの像側面から前記第５レンズの物体側面までの軸上距離をｄ８としたときに、以下の条件式（１）〜（５）を満たす。
−８．００≦（ｆ１＋ｆ３＋ｆ５）／ｆ≦−６．００  （１）
１．００≦（Ｒ７＋Ｒ８）／（Ｒ７−Ｒ８）≦３．００  （２）
Ｒ５／ｄ５≦−１５．００  （３）
１０．００≦ｄ７／ｄ８≦１３．０２  （４）
０．８０≦ｆ４／ｆ≦１．５０  （５）
【０００６】
好ましくは、前記第２レンズの物体側面の曲率半径をＲ３、前記第２レンズの像側面の曲率半径をＲ４としたときに、以下の条件式（６）を満たす。
０．３０≦（Ｒ３＋Ｒ４）／（Ｒ３−Ｒ４）≦０．７０  （６）
【０００７】
好ましくは、前記第１レンズの物体側面の曲率半径をＲ１、前記第１レンズの像側面の曲率半径をＲ２、前記第１レンズの軸上厚みをｄ１、前記撮像光学レンズの光学長をＴＴＬとしたときに、以下の条件式（７）〜（９）を満たす。
−５．１１≦ｆ１／ｆ≦−１．５５  （７）
−１．２３≦（Ｒ１＋Ｒ２）／（Ｒ１−Ｒ２）≦１．０９  （８）
０．０３≦ｄ１／ＴＴＬ≦０．１７  （９）
【０００８】
好ましくは、前記第２レンズの焦点距離をｆ２、前記第２レンズの軸上厚みをｄ３、前記撮像光学レンズの光学長をＴＴＬとしたときに、以下の条件式（１０）〜（１１）を満たす。
０．４２≦ｆ２／ｆ≦１．７２  （１０）
０．０６≦ｄ３／ＴＴＬ≦０．２７  （１１）
【０００９】
好ましくは、前記第３レンズの像側面の曲率半径をＲ６、前記撮像光学レンズの光学長をＴＴＬとしたときに、以下の条件式（１２）〜（１４）を満たす。
−７．１５≦ｆ３／ｆ≦−１．４８  （１２）
−０．６０≦（Ｒ５＋Ｒ６）／（Ｒ５−Ｒ６）≦１．２４  （１３）
０．０２≦ｄ５／ＴＴＬ≦０．０８  （１４）
【００１０】
好ましくは、前記撮像光学レンズの光学長をＴＴＬとしたときに、以下の条件式（１５）を満たす。
０．０８≦ｄ７／ＴＴＬ≦０．３５  （１５）
【００１１】
好ましくは、前記第５レンズの物体側面の曲率半径をＲ９、前記第５レンズの像側面の曲率半径をＲ１０、前記第５レンズの軸上厚みをｄ９、前記撮像光学レンズの光学長をＴＴＬとしたときに、以下の条件式（１６）〜（１８）を満たす。
−４．１４≦ｆ５／ｆ≦−０．８３  （１６）
１．７７≦（Ｒ９＋Ｒ１０）／（Ｒ９−Ｒ１０）≦５．４４  （１７）
０．０４≦ｄ９／ＴＴＬ≦０．１４  （１８）
【００１２】
好ましくは、前記撮像光学レンズの光学長をＴＴＬ、前記撮像光学レンズの像高をＩＨとしたときに、以下の条件式（１９）を満たす。
ＴＴＬ／ＩＨ≦２．００  （１９）
【００１３】
好ましくは、前記撮像光学レンズの絞り値Ｆｎｏは、以下の条件式（２０）を満たす。
Ｆｎｏ≦２．２５  （２０）
【００１４】
好ましくは、前記第１レンズと前記第２レンズとの合成焦点距離をｆ１２としたときに、以下の条件式（２１）を満たす。
０．４９≦ｆ１２／ｆ≦２．２５  （２１）
【発明の効果】
【００１５】
本発明は、下記の有利な作用効果を有する。本発明に係る撮像光学レンズは、優れた光学特性を有し、大口径、広角化及び極薄化の特性を有するものであり、特に高画素用のＣＣＤ、ＣＭＯＳなどの撮像素子により構成された携帯電話の撮像レンズユニットとＷＥＢ撮像レンズに適用することができる。
【図面の簡単な説明】
【００１６】
本発明の実施例における技術案をより明瞭に説明するために、以下、実施例の記述に使用される必要な図面を簡単に紹介する。明らかに、以下に記載される図面は、本発明の一部の実施例に過ぎず、当業者にとって、創造的労力をかけない前提で、これらの図面より他の図面を得ることができる。
【図１】本発明の第１実施形態における撮像光学レンズの構造を示す模式図である。
【図２】図１に示す撮像光学レンズの軸上色収差を示す模式図である。
【図３】図１に示す撮像光学レンズの倍率色収差を示す模式図である。
【図４】図１に示す撮像光学レンズの像面湾曲及び歪曲収差を示す模式図である。
【図５】本発明の第２実施形態における撮像光学レンズの構造を示す模式図である。
【図６】図５に示す撮像光学レンズの軸上色収差を示す模式図である。
【図７】図５に示す撮像光学レンズの倍率色収差を示す模式図である。
【図８】図５に示す撮像光学レンズの像面湾曲及び歪曲収差を示す模式図である。
【図９】本発明の第３実施形態における撮像光学レンズの構造を示す模式図である。
【図１０】図９に示す撮像光学レンズの軸上色収差を示す模式図である。
【図１１】図９に示す撮像光学レンズの倍率色収差を示す模式図である。
【図１２】図９に示す撮像光学レンズの像面湾曲および歪曲収差を示す模式図である。
【発明を実施するための形態】
【００１７】
本発明の目的、解決手段及びメリットがより明瞭になるように、以下、図面を参照しながら本発明の各実施形態を詳細に説明する。しかし、本発明の各実施形態において、本発明が良く理解されるように多くの技術的詳細が与えられているが、それらの技術的詳細および以下の各実施形態に基づく各種の変化及び修正が存在しなくとも、本発明の保護しようとするものを実現可能であることは、当業者に理解されるべきである。
【００１８】
（第１実施形態）
図面を参照すると、本発明は、撮像光学レンズ１０を提供する。図１は、本発明の第１実施形態の撮像光学レンズ１０を示す。当該撮像光学レンズ１０は、５枚のレンズを備える。具体的に、前記撮像光学レンズ１０は、物体側から像側にかけて、順次に第１レンズＬ１、絞りＳ１、第２レンズＬ２、第３レンズＬ３、第４レンズＬ４及び第５レンズＬ５からなる。第５レンズＬ５と像面Ｓｉとの間に光学フィルタ（ｆｉｌｔｅｒ）ＧＦなどの光学素子が設けられてもよい。
【００１９】
本実施形態では、前記撮像光学レンズ１０全体の焦点距離をｆ、前記第１レンズＬ１の焦点距離をｆ１、前記第３レンズＬ３の焦点距離をｆ３、前記第５レンズＬ５の焦点距離をｆ５として定義すると、条件式−８．００≦（ｆ１＋ｆ３＋ｆ５）／ｆ≦−６．００を満たす。前記第１レンズＬ１、前記第３レンズＬ３及び前記第５レンズＬ５の焦点距離の合計と前記撮像光学レンズ１０全体の焦点距離との比を規定することによって、第１レンズＬ１、第３レンズＬ３及び第５レンズＬ５の焦点距離を適切に配置することができ、光学システムの収差の補正に有利であり、さらに結像品質を向上させる。
【００２０】
前記第４レンズＬ４の物体側面の曲率半径をＲ７、前記第４レンズＬ４の像側面の曲率半径をＲ８としたときに、条件式１．００≦（Ｒ７＋Ｒ８）／（Ｒ７−Ｒ８）≦３．００を満たす。第４レンズＬ４の形状を規定することによって、レンズを通る光の偏向度合いを緩和でき、収差を効果的に低減できる。
【００２１】
前記第３レンズＬ３の物体側面の曲率半径をＲ５、前記第３レンズＬ３の軸上厚みをｄ５としたときに、条件式Ｒ５／ｄ５≦−１５．００を満たす。この条件式は、前記第３レンズＬ３の形状を規定するものである。条件式の範囲内では、レンズの加工に有利である。
【００２２】
前記第４レンズＬ４の軸上厚みをｄ７、前記第４レンズＬ４の像側面から前記第５レンズＬ５の物体側面までの軸上距離をｄ８としたときに、条件式１０．００≦ｄ７／ｄ８≦１３．０２を満たす。この条件式は、前記第４レンズＬ４の軸上厚みと前記第４レンズＬ４の像側面から前記第５レンズＬ５の物体側面までの軸上距離との比を規定するものである。条件式の範囲内では、システムの全長の短縮化に有利である。
【００２３】
前記第４レンズＬ４の焦点距離をｆ４としたときに、条件式０．８０≦ｆ４／ｆ≦１．５０を満たす。この条件式は、前記第４レンズＬ４の焦点距離と前記撮像光学レンズ１０の焦点距離との比を規定するものである。条件式の範囲内では、屈折力の合理的な配分により、システムが優れた結像品質を有するようになり、光学系の性能向上に有利である。
【００２４】
前記第２レンズＬ２の物体側面の曲率半径をＲ３、前記第２レンズＬ２の像側面の曲率半径をＲ４として定義すると、条件式０．３０≦（Ｒ３＋Ｒ４）／（Ｒ３−Ｒ４）≦０．７０を満たす。前記第２レンズＬ２の形状を規定することによって、システムの球面収差のバランスに有利である。
【００２５】
前記第１レンズＬ１の焦点距離をｆ１として定義すると、条件式−５．１１≦ｆ１／ｆ≦−１．５５を満たす。この条件式は、第１レンズＬ１の焦点距離と全体の焦点距離との比を規定するものである。条件式の範囲内では、前記第１レンズＬ１が適切な負の屈折力を有し、これによって、システムの収差の低減に有利であると共に、レンズの極薄化及び広角化への進行に有利である。
【００２６】
前記第１レンズＬ１の物体側面の曲率半径をＲ１、前記第１レンズＬ１の像側面の曲率半径をＲ２としたときに、条件式−１．２３≦（Ｒ１＋Ｒ２）／（Ｒ１−Ｒ２）≦１．０９を満たす。第１レンズＬ１の形状を合理的に制御することで、第１レンズＬ１によってシステムの球面収差を効果的に補正することができる。
【００２７】
前記撮像光学レンズ１０の光学長をＴＴＬ、前記第１レンズＬ１の軸上厚みをｄ１としたときに、条件式０．０３≦ｄ１／ＴＴＬ≦０．１７を満たす。条件式の範囲内では、極薄化を図ることに有利である。
【００２８】
前記第２レンズＬ２の焦点距離をｆ２として定義すると、条件式０．４２≦ｆ２／ｆ≦１．７２を満たす。第２レンズＬ２の正屈折力を合理的な範囲に制御することにより、光学システムの収差の補正に有利である。
【００２９】
前記第２レンズＬ２の軸上厚みをｄ３としたときに、条件式０．０６≦ｄ３／ＴＴＬ≦０．２７を満たす。条件式の範囲内では、極薄化を図ることに有利である。
【００３０】
前記第３レンズＬ３の焦点距離をｆ３として定義すると、条件式−７．１５≦ｆ３／ｆ≦−１．４８を満たす。屈折力の合理的な配分により、システムが優れた結像品質及び低い感度を有する。
【００３１】
前記第３レンズＬ３の物体側面の曲率半径をＲ５、前記第３レンズＬ３の像側面の曲率半径をＲ６としたときに、条件式−０．６０≦（Ｒ５＋Ｒ６）／（Ｒ５−Ｒ６）≦１．２４を満たす。この条件式は、第３レンズの形状を規定するものである。条件式の範囲内では、レンズを通る光の偏向度合いを緩和でき、収差を効果的に低減できる。
【００３２】
前記第３レンズＬ３の軸上厚みをｄ５としたときに、条件式０．０２≦ｄ５／ＴＴＬ≦０．０８を満たす。条件式の範囲内では、極薄化を図ることに有利である。
【００３３】
前記第４レンズＬ４の軸上厚みをｄ７として定義すると、条件式０．０８≦ｄ７／ＴＴＬ≦０．３５を満たす。条件式の範囲内では、極薄化を図ることに有利である。
【００３４】
前記第５レンズＬ５の焦点距離をｆ５として定義すると、条件式−４．１４≦ｆ５／ｆ≦−０．８３を満たす。第５レンズＬ５を限定することによって、撮像レンズの光線角度を効果的に緩やかにし、公差感度を低減することができる。
【００３５】
前記第５レンズの物体側面の曲率半径をＲ９、前記第５レンズの像側面の曲率半径をＲ１０としたときに、条件式１．７７≦（Ｒ９＋Ｒ１０）／（Ｒ９−Ｒ１０）≦５．４４を満たす。この条件式は、第５レンズＬ５の形状を規定するものである。条件式の範囲内では、レンズの極薄広角化が進行するにつれて、軸外画角の収差などの補正に有利になる。
【００３６】
前記第５レンズＬ５の軸上厚みをｄ９としたときに、条件式０．０４≦ｄ９／ＴＴＬ≦０．１４を満たす。条件式の範囲内では、極薄化を図ることに有利である。
【００３７】
さらに、前記撮像光学レンズ１０の光学長をＴＴＬ、前記撮像光学レンズ１０の像高をＩＨとして定義すると、条件式ＴＴＬ／ＩＨ≦２．００を満たす。条件式の範囲内では、極薄化を図ることに有利である。
【００３８】
前記撮像光学レンズ１０の絞り値Ｆｎｏは、条件式Ｆｎｏ≦２．２５を満たす。条件式の範囲内では、大口径を図ることに有利であると共に、結像性能に優れる。
【００３９】
前記第１レンズＬ１と前記第２レンズＬ２との合成焦点距離をｆ１２として定義すると、条件式０．４９≦ｆ１２／ｆ≦２．２５を満たす。条件式の範囲内では、撮像光学レンズ１０の収差や歪みをなくすことができると共に、撮像光学レンズのバックフォーカスを抑え、撮像レンズ系群の小型化を維持することができる。
【００４０】
すなわち、上記関係を満たすときに、撮像光学レンズ１０は、良好な光学性能を有するとともに、大口径、広角化、極薄化の設計要求を満たすことができる。当該光学レンズ１０の特性によれば、当該光学レンズ１０は、特に高画素用のＣＣＤ、ＣＭＯＳなどの撮像素子により構成された携帯電話の撮像レンズユニットとＷＥＢ撮像レンズに適用することができる。
【００４１】
以下では、実施例を用いて、本発明に係る撮像光学レンズ１０について説明する。各実施例に記載の符号は、以下の通りである。焦点距離、軸上距離、曲率半径、軸上厚み、変曲点位置及び停留点位置の単位は、ｍｍである。
【００４２】
ＴＴＬは、光学長(第１レンズＬ１の物体側面から像面Ｓｉまでの軸上距離)であり、単位がｍｍである。
好ましくは、前記レンズの物体側面及び／又は像側面には、高品質の結像需要を満たすために、変曲点及び／又は停留点が設置されてもよい。具体的な実施案について、下記の説明を参照する。
【００４３】
表１、表２は、本発明の第１実施形態に係る撮像光学レンズ１０の設計データを示す。
【００４４】
【表１】
0006917512.tif 000002
【００４５】
ここで、各符号の意味は、以下の通りである。
Ｓ１  ：絞り
Ｒ    ：光学面の曲率半径
Ｒ１  ：第１レンズＬ１の物体側面の曲率半径
Ｒ２  ：第１レンズＬ１の像側面の曲率半径
Ｒ３  ：第２レンズＬ２の物体側面の曲率半径
Ｒ４  ：第２レンズＬ２の像側面の曲率半径
Ｒ５  ：第３レンズＬ３の物体側面の曲率半径
Ｒ６  ：第３レンズＬ３の像側面の曲率半径
Ｒ７  ：第４レンズＬ４の物体側面の曲率半径
Ｒ８  ：第４レンズＬ４の像側面の曲率半径
Ｒ９  ：第５レンズＬ５の物体側面の曲率半径
Ｒ１０：第５レンズＬ５の像側面の曲率半径
Ｒ１１ ：光学フィルタＧＦの物体側面の曲率半径
Ｒ１２ ：光学フィルタＧＦの像側面の曲率半径
ｄ     ：レンズの軸上厚み、又は、レンズ間の軸上距離
ｄ０   ：絞りＳ１から第１レンズＬ１の物体側面までの軸上距離
ｄ１   ：第１レンズＬ１の軸上厚み
ｄ２   ：第１レンズＬ１の像側面から第２レンズＬ２の物体側面までの軸上距離
ｄ３   ：第２レンズＬ２の軸上厚み
ｄ４   ：第２レンズＬ２の像側面から第３レンズＬ３の物体側面までの軸上距離
ｄ５   ：第３レンズＬ３の軸上厚み
ｄ６   ：第３レンズＬ３の像側面から第４レンズＬ４の物体側面までの軸上距離
ｄ７   ：第４レンズＬ４の軸上厚み
ｄ８   ：第４レンズＬ４の像側面から第５レンズＬ５の物体側面までの軸上距離
ｄ９   ：第５レンズＬ５の軸上厚み
ｄ１０ ：第５レンズＬ５の像側面から光学フィルタＧＦの物体側面までの軸上距離
ｄ１１ ：光学フィルタＧＦの軸上厚み
ｄ１２ ：光学フィルタＧＦの像側面から像面までの軸上距離
ｎｄ   ：ｄ線の屈折率
ｎｄ１ ：第１レンズＬ１のｄ線の屈折率
ｎｄ２ ：第２レンズＬ２のｄ線の屈折率
ｎｄ３ ：第３レンズＬ３のｄ線の屈折率
ｎｄ４ ：第４レンズＬ４のｄ線の屈折率
ｎｄ５ ：第５レンズＬ５のｄ線の屈折率
ｎｄｇ ：光学フィルタＧＦのｄ線の屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖｇ    ：光学フィルタＧＦのアッベ数。
【００４６】
表２は、本発明の第１実施形態に係る撮像光学レンズ１０における各レンズの非球面データを示す。
【００４７】
【表２】
0006917512.tif 000003
ここで、ｋは円錐係数であり、Ａ４、Ａ６、Ａ８、Ａ１０、Ａ１２、Ａ１４、Ａ１６、Ａ１８、Ａ２０は非球面係数である。
【００４８】
ｙ=(ｘ２／Ｒ)／[１＋{１−(ｋ＋１)(ｘ２／Ｒ２)}１／２]
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０          （２２）
【００４９】
各レンズ面の非球面は、便宜上、上記式(２２)で表される非球面を使用している。しかしながら、本発明は、特にこの式（２２）の非球面多項式に限定されるものではない。
【００５０】
表３、表４は、本発明の第１実施形態に係る撮像光学レンズ１０における各レンズの変曲点及び停留点の設計データを示す。ここで、Ｐ１Ｒ１、Ｐ１Ｒ２は、それぞれ第１レンズＬ１の物体側面と像側面を示し、Ｐ２Ｒ１、Ｐ２Ｒ２は、それぞれ第２レンズＬ２の物体側面と像側面を示し、Ｐ３Ｒ１、Ｐ３Ｒ２は、それぞれ第３レンズＬ３の物体側面と像側面を示し、Ｐ４Ｒ１、Ｐ４Ｒ２は、それぞれ第４レンズＬ４の物体側面と像側面を示し、Ｐ５Ｒ１、Ｐ５Ｒ２は、それぞれ第５レンズＬ５の物体側面と像側面を示す。「変曲点位置」欄の対応するデータは、各レンズの表面に設置された変曲点から撮像光学レンズ１０の光軸までの垂直距離である。「停留点位置」欄の対応するデータは、各レンズの表面に設置された停留点から撮像光学レンズ１０の光軸までの垂直距離である。
【００５１】
【表３】
0006917512.tif 000004
【００５２】
【表４】
0006917512.tif 000005
【００５３】
図２、図３は、それぞれ波長４３５ｎｍ、４７０ｎｍ、５１０ｎｍ、５５５ｎｍ、６１０ｎｍ及び６５０ｎｍの光が第１実施形態に係る撮像光学レンズ１０を通った後の軸上色収差及び倍率色収差を示す模式図である。図４は、波長５５５ｎｍの光が第１実施形態に係る撮像光学レンズ１０を通った後の像面湾曲及び歪曲収差を示す模式図であり、図４の像面湾曲Ｓは、サジタル方向の像面湾曲であり、Ｔは、子午方向の像面湾曲である。
【００５４】
後に示される表１３、表１４は、各実施形態１、２、３において各種パラメータに対応する値及び各条件式に対応する値を示す。
【００５５】
表１３、表１４に示すように、第１実施形態は、各パラメータに対応する値及び各条件式に対応する値を満足する。
【００５６】
本実施形態において、前記撮像光学レンズの入射瞳径は、０．７４２ｍｍであり、前記撮像光学レンズの像高ＩＨは、２．３００ｍｍであり、対角線方向の画角は、１１９．８０°である。前記撮像光学レンズ１０は、広角化及び極薄化の設計要求を満たし、その軸上、軸外色収差が十分に補正され、且つ優れた光学特性を有する。
【００５７】
（第２実施形態）
第２実施形態は、第１実施形態と基本的に同じであり、符号の意味も第１実施形態と同様であり、この第２実施形態の撮像光学レンズ２０の構成を図５に示すため、相違点のみを以下に示す。
【００５８】
表５、表６は、本発明の第２実施形態に係る撮像光学レンズ２０の設計データを示す。
【００５９】
【表５】
0006917512.tif 000006
【００６０】
表６は、本発明の第２実施形態に係る撮像光学レンズ２０における各レンズの非球面データを示す。
【００６１】
【表６】
0006917512.tif 000007
【００６２】
表７、表８は、本発明の第２実施形態に係る撮像光学レンズ２０における各レンズの変曲点及び停留点の設計データを示す。
【００６３】
【表７】
0006917512.tif 000008
【００６４】
【表８】
0006917512.tif 000009
【００６５】
図６、図７は、それぞれ波長４３５ｎｍ、４７０ｎｍ、５１０ｎｍ、５５５ｎｍ、６１０ｎｍおよび６５０ｎｍの光が第２実施形態に係る撮像光学レンズ２０を通った後の軸上色収差及び倍率色収差を示す模式図である。図８は、波長５５５ｎｍの光が第２実施形態に係る撮像光学レンズ２０を通った後の像面湾曲及び歪曲収差を示す模式図であり、図８の像面湾曲Ｓは、サジタル方向の像面湾曲であり、Ｔは、子午方向の像面湾曲である。
【００６６】
表１３、表１４に示すように、第２実施形態は、各パラメータに対応する値及び各条件式に対応する値を満足する。
【００６７】
本実施形態において、前記撮像光学レンズの入射瞳径は、０．７４２ｍｍであり、前記撮像光学レンズの像高ＩＨは、２．３００ｍｍであり、対角線方向の画角は、１１９．８０°である。前記撮像光学レンズ２０は、広角化及び極薄化の設計要求を満たし、その軸上、軸外色収差が十分に補正され、且つ優れた光学特性を有する。
【００６８】
（第３実施形態）
第３実施形態は、第１実施形態と基本的に同じであり、符号の意味も第１実施形態と同様であり、この第３実施形態の撮像光学レンズ３０の構成を図９に示すため、相違点のみを以下に示す。
【００６９】
表９、表１０は、本発明の第３実施形態に係る撮像光学レンズ３０の設計データを示す。
【００７０】
【表９】
0006917512.tif 000010
【００７１】
表１０は、本発明の第３実施形態の撮像光学レンズ３０における各レンズの非球面データを示す。
【００７２】
【表１０】
0006917512.tif 000011
【００７３】
表１１、表１２は、本発明の第３実施形態の撮像光学レンズ３０における各レンズの変曲点および停留点設計データを示す。
【００７４】
【表１１】
0006917512.tif 000012
【００７５】
【表１２】
0006917512.tif 000013
【００７６】
図１０、図１１は、それぞれ波長４３５ｎｍ、４７０ｎｍ、５１０ｎｍ、５５５ｎｍ、６１０ｎｍおよび６５０ｎｍの光が第３実施形態の撮像光学レンズ３０を通った後の軸上色収差および倍率色収差を示す模式図である。図１２は、波長５５５ｎｍの光が第３実施形態の撮像光学レンズ３０を通った後の像面湾曲および歪曲収差を示す模式図であり、図１２の像面湾曲Ｓは、サジタル方向の像面湾曲であり、Ｔは、子午方向の像面湾曲である。
【００７７】
表１３、表１４に示すように、第３実施形態は、各パラメータに対応する値及び各条件式に対応する値を満足する。
【００７８】
本実施形態において、前記撮像光学レンズの入射瞳径は、０．７４１ｍｍであり、前記撮像光学レンズの像高ＩＨは、２．３００ｍｍであり、対角線方向の画角は、１１９．８０°である。前記撮像光学レンズ３０は、広角化及び極薄化の設計要求を満たし、その軸上、軸外色収差が十分に補正され、且つ優れた光学特性を有する。
【００７９】
【表１３】
0006917512.tif 000014
【００８０】
【表１４】
0006917512.tif 000015
【００８１】
当業者であれば分かるように、上記各実施形態が本発明を実現するための具体的な実施形態であり、実際の応用において、本発明の要旨と範囲から逸脱しない限り、形式及び詳細に対する各種の変更は可能である。
【図１】
0006917512.tif 000016
【図２】
0006917512.tif 000017
【図３】
0006917512.tif 000018
【図４】
0006917512.tif 000019
【図５】
0006917512.tif 000020
【図６】
0006917512.tif 000021
【図７】
0006917512.tif 000022
【図８】
0006917512.tif 000023
【図９】
0006917512.tif 000024
【図１０】
0006917512.tif 000025
【図１１】
0006917512.tif 000026
【図１２】
0006917512.tif 000027